(57)【要約】【課題】表示制御プログラム開発の効率化を図りつつ、視認性を向上させること。【解決手段】設定画面を表示可能なＬＣＤ２２０と、ＬＣＤ２２０に表示する設定画面絵を構成する画面構成要素と、カラー表示時における画面構成要素に割り当てられた明度とは別個に、モノクロ表示時における設定画面の表示性に基づいて画面構成要素ごとに割り当てた明度を定めたモノクロテーブルと、を記憶する記憶部１０４と、記憶部１０４に記憶されている画面構成要素から、モノクロテーブルに定められた画面構成要素に対応する明度でモノクロの設定画面を生成し、生成した設定画面をＬＣＤ２２０に表示する表示処理部１０１と、を備えたことを特徴とする。【選択図】        図１
2007256387.tif 000002
【特許請求の範囲】
【請求項１】
画面画像を表示可能な表示部と、
前記表示部に表示する前記画面画像を構成する画面構成要素と、カラー表示時における前記画面構成要素に割り当てられた明度とは別個に、モノクロ表示時における前記画面画像の表示性に基づいて前記画面構成要素ごとに割り当てた明度を定めたモノクロテーブルと、を記憶する記憶手段と、
前記記憶手段に記憶されている前記画面構成要素から、前記モノクロテーブルに定められた前記画面構成要素に対応する明度でモノクロの前記画面画像を生成し、生成した前記画面画像を前記表示部に表示する表示処理手段と、
を備えたことを特徴とする画像形成装置。
【請求項２】
前記モノクロテーブルは、カラー表示時に強調して表示される前記画面構成要素に割り当てる明度を、モノクロ表示時に表示される前記画面画像における他の前記画面構成要素と比較して強調される明度に定め、
前記表示処理手段は、前記記憶手段に記憶されている前記画面構成要素から、前記モノクロテーブルに定められた前記画面構成要素に対応する明度で、カラー表示時に強調して表示される前記画面構成要素を、前記他の前記画面構成要素と比較して強調して表示されるモノクロの前記画面画像を生成し、生成した前記画面画像を前記表示部に表示すること、
を特徴とする請求項１に記載の画像形成装置。
【請求項３】
前記モノクロテーブルは、前記画面画像において利用者の入力による機能に対応して、前記画面構成要素ごとに割り当てて明度を定め、
前記表示処理手段は、前記記憶手段に記憶されている前記画面構成要素から、前記モノクロテーブルの前記機能に対応して定められた前記画面構成要素に対応する明度でモノクロの前記画面画像を生成し、生成した前記画面画像を前記表示部に表示すること、
を特徴とする請求項１または２に記載の画像形成装置。
【請求項４】
前記モノクロテーブルは、前記画面画像において利用者の入力による接触部分または非接触部分に対応して、前記画面構成要素ごとに割り当てて明度を定め、
前記表示処理手段は、前記記憶手段に記憶されている前記画面構成要素から、前記モノクロテーブルの前記接触部分または非接触部分に対応して定められた前記画面構成要素に対応する明度でモノクロの前記画面画像を生成し、生成した前記画面画像を前記表示部に表示すること、
を特徴とする請求項３に記載の画像形成装置。
【請求項５】
前記モノクロテーブルは、前記画面画像において前記画面構成要素を少なくとも一つ以上含んで分割された領域に対応して、前記画面構成要素ごとに割り当てて明度を定め、
前記表示処理手段は、前記記憶手段に記憶されている前記画面構成要素から、前記モノクロテーブルの前記領域に対応して定められた前記画面構成要素に対応する明度でモノクロの前記画面画像を生成し、生成した前記画面画像を前記表示部に表示すること、
を特徴とする請求項１または２に記載の画像形成装置。
【請求項６】
前記記憶手段は、カラー表示時における前記画面画像の表示性に基づいて前記画面構成要素ごとに割り当てて色彩を定めた複数のカラーテーブルを、さらに記憶し、
前記表示処理手段は、前記記憶手段に記憶されている前記画面構成要素から、いずれかの前記カラーテーブルに定められた前記画面構成要素に対応する色彩でカラーの前記画面画像を生成し、生成した前記画面画像を前記表示部に表示すること、
を特徴する請求項１〜５のいずれか一つに記載の画像形成装置。
【請求項７】
前記複数のカラーテーブルは、定めた色彩の変更が可能な前記画面構成要素の一定領域である可変色領域を有し、前記可変色領域に割り当てる色彩を色系統に応じてそれぞれ変更して定め、
前記表示処理手段は、前記記憶手段に記憶されている前記画面構成要素から、いずれかの色系統に応じた前記カラーテーブルに定められた前記画面構成要素に対応する色彩でカラーの前記画面画像を生成し、生成した前記画面画像を前記表示部に表示すること、
を特徴する請求項６に記載の画像形成装置。
【請求項８】
前記表示処理手段は、いずれの色系統の前記画面画像を前記表示部に表示するかを選択させる選択画面を、前記表示部に表示し、
前記表示処理手段により表示された前記選択画面から、いずれの色系統の前記画面画像を表示するかの選択入力を受け付ける選択受付手段を、さらに備え、
前記表示処理手段は、前記選択受付手段によって選択入力を受け付けた色系統に応じた前記カラーテーブルを前記記憶手段から取得し、前記記憶手段に記憶されている前記画面構成要素から、取得した前記カラーテーブルに定められた前記画像構成要素に対応する色彩でカラーの前記画面画像を生成し、生成した前記画面画像を前記表示部に表示すること、
を特徴する請求項７に記載の画像形成装置。
【請求項９】
記憶手段に記憶されている画面画像を構成する画面構成要素から、カラー表示時における前記画面構成要素に割り当てられた明度とは別個に、モノクロ表示時における前記画面画像の表示性に基づいて前記画面構成要素ごとに割り当てた明度を定めたモノクロテーブルに定められた前記画面構成要素に対応する明度でモノクロの前記画面画像を生成し、生成した前記画面画像を表示部に表示する表示処理ステップと、
を含むことを特徴とする表示処理方法。
【請求項１０】
請求項９に記載された表示処理方法をコンピュータで実行させることを特徴とする表示処理プログラム。
【発明の詳細な説明】
【技術分野】
【０００１】
この発明は、入力されたデータを出力する画像形成を行う際に、各種画面を表示する画像形成装置、表示処理方法、および表示処理プログラムに関するものである。
【背景技術】
【０００２】
近年、プリンタ、コピー、ファクシミリ、スキャナなどの各装置の機能を１つの筐体内に収納した、いわゆるＭＦＰ（Multi Function Peripheral）と呼ばれる画像形成装置（以下、複合機という。）が知られている。この複合機は、１つの筐体内に表示部、印刷部および撮像部などを設けるとともに、プリンタ、コピーおよびファクシミリ装置にそれぞれ対応したソフトウェアを設け、これらのソフトウェアを切り替えることによって、当該装置をプリンタ、コピー、スキャナまたはファクシミリ装置として動作させるものである。
【０００３】
このような従来の複合機では、上述の各種機能を実行する際の設定を行うため、ＬＣＤ（Liquid Crystal Display）などの表示操作部が設けられている。すなわち、近年の複合機は、機能が複数存在する上に、設定すべき項目が多くなっているため、スタートキーやテンキーなど、基本的なキーのみを機械的なキーとし、多様な機能の設定や操作キーについては、ＬＣＤによって表示するような構成の表示操作部が実用化されている（例えば、特許文献１参照）。
【０００４】
【特許文献１】特開平１１−１９４６６７号公報
【発明の開示】
【発明が解決しようとする課題】
【０００５】
しかしながら、従来の複合機では、ＬＣＤなどの表示操作部にモノクロ用またはカラー用の設定画面等を表示する場合、そのモノクロ用またはカラー用の設定画面等の表示制御プログラムを別個に開発していたため、複合機の開発工数が増大していた。
【０００６】
そこで、カラー用の設定画面等の表示制御プログラムを開発し、モノクロ用の設定画面等を表示する場合に、そのカラー用の設定画面等の表示制御プログラムを利用して、モノクロ用の設定画面等の明度をカラー表示時における設定画面等に割り当てられた明度に決定し、モノクロの設定画面等をＬＣＤ等に表示することが考えられる。
【０００７】
しかし、モノクロ用の設定画面等の明度を、単にカラー表示時における設定画面等に割り当てられた明度に決定して表示すると、カラー用の設定画面等では強調されていた部分（構成要素）が、モノクロ用の設定画面等では、他の部分との明度差が小さくなって、強調して表示されない場合があるという問題があった。
【０００８】
本発明は、上記に鑑みてなされたものであって、表示制御プログラム開発の効率化を図りつつ、視認性を向上させる画像形成装置、表示処理方法、および表示処理プログラムを提供することを目的とする。
【課題を解決するための手段】
【０００９】
上述した課題を解決し、目的を達成するために、本発明は、画面画像を表示可能な表示部と、前記表示部に表示する前記画面画像を構成する画面構成要素と、カラー表示時における前記画面構成要素に割り当てられた明度とは別個に、モノクロ表示時における前記画面画像の表示性に基づいて前記画面構成要素ごとに割り当てた明度を定めたモノクロテーブルと、を記憶する記憶手段と、前記記憶手段に記憶されている前記画面構成要素から、前記モノクロテーブルに定められた前記画面構成要素に対応する明度でモノクロの前記画面画像を生成し、生成した前記画面画像を前記表示部に表示する表示処理手段と、を備えたことを特徴とする。
【００１０】
また、本発明は、前記モノクロテーブルは、カラー表示時に強調して表示される前記画面構成要素に割り当てる明度を、モノクロ表示時に表示される前記画面画像における他の前記画面構成要素と比較して強調される明度に定め、前記表示処理手段は、前記記憶手段に記憶されている前記画面構成要素から、前記モノクロテーブルに定められた前記画面構成要素に対応する明度で、カラー表示時に強調して表示される前記画面構成要素を、前記他の前記画面構成要素と比較して強調して表示されるモノクロの前記画面画像を生成し、生成した前記画面画像を前記表示部に表示すること、を特徴とする。
【００１１】
また、本発明は、前記モノクロテーブルは、前記画面画像において利用者の入力による機能に対応して、前記画面構成要素ごとに割り当てて明度を定め、前記表示処理手段は、前記記憶手段に記憶されている前記画面構成要素から、前記モノクロテーブルの前記機能に対応して定められた前記画面構成要素に対応する明度でモノクロの前記画面画像を生成し、生成した前記画面画像を前記表示部に表示すること、を特徴とする。
【００１２】
また、本発明は、前記モノクロテーブルは、前記画面画像において利用者の入力による接触部分または非接触部分に対応して、前記画面構成要素ごとに割り当てて明度を定め、前記表示処理手段は、前記記憶手段に記憶されている前記画面構成要素から、前記モノクロテーブルの前記接触部分または非接触部分に対応して定められた前記画面構成要素に対応する明度でモノクロの前記画面画像を生成し、生成した前記画面画像を前記表示部に表示すること、を特徴とする。
【００１３】
また、本発明は、前記モノクロテーブルは、前記画面画像において前記画面構成要素を少なくとも一つ以上含んで分割された領域に対応して、前記画面構成要素ごとに割り当てて明度を定め、前記表示処理手段は、前記記憶手段に記憶されている前記画面構成要素から、前記モノクロテーブルの前記領域に対応して定められた前記画面構成要素に対応する明度でモノクロの前記画面画像を生成し、生成した前記画面画像を前記表示部に表示すること、を特徴とする。
【００１４】
また、本発明は、前記記憶手段は、カラー表示時における前記画面画像の表示性に基づいて前記画面構成要素ごとに割り当てて色彩を定めた複数のカラーテーブルを、さらに記憶し、前記表示処理手段は、前記記憶手段に記憶されている前記画面構成要素から、いずれかの前記カラーテーブルに定められた前記画面構成要素に対応する色彩でカラーの前記画面画像を生成し、生成した前記画面画像を前記表示部に表示すること、を特徴する。
【００１５】
また、本発明は、前記複数のカラーテーブルは、定めた色彩の変更が可能な前記画面構成要素の一定領域である可変色領域を有し、前記可変色領域に割り当てる色彩を色系統に応じてそれぞれ変更して定め、前記表示処理手段は、前記記憶手段に記憶されている前記画面構成要素から、いずれかの色系統に応じた前記カラーテーブルに定められた前記画面構成要素に対応する色彩でカラーの前記画面画像を生成し、生成した前記画面画像を前記表示部に表示すること、を特徴する。
【００１６】
また、本発明は、前記表示処理手段は、いずれの色系統の前記画面画像を前記表示部に表示するかを選択させる選択画面を、前記表示部に表示し、前記表示処理手段により表示された前記選択画面から、いずれの色系統の前記画面画像を表示するかの選択入力を受け付ける選択受付手段を、さらに備え、前記表示処理手段は、前記選択受付手段によって選択入力を受け付けた色系統に応じた前記カラーテーブルを前記記憶手段から取得し、前記記憶手段に記憶されている前記画面構成要素から、取得した前記カラーテーブルに定められた前記画像構成要素に対応する色彩でカラーの前記画面画像を生成し、生成した前記画面画像を前記表示部に表示すること、を特徴する。
【００１７】
また、本発明は、記憶手段に記憶されている画面画像を構成する画面構成要素から、カラー表示時における前記画面構成要素に割り当てられた明度とは別個に、モノクロ表示時における前記画面画像の表示性に基づいて前記画面構成要素ごとに割り当てた明度を定めたモノクロテーブルに定められた前記画面構成要素に対応する明度でモノクロの前記画面画像を生成し、生成した前記画面画像を表示部に表示する表示処理ステップと、を含むことを特徴とする。
【００１８】
また、本発明は、請求項９に記載された表示処理方法をコンピュータで実行させることを特徴とする。
【発明の効果】
【００１９】
本発明によれば、カラー表示時における画面構成要素に割り当てられた明度とは別個に定められたモノクロテーブルの明度で画面画像を表示するため、モノクロ用およびカラー用の画面画像として共通に開発した表示制御プログラムが利用でき、表示制御プログラム開発の効率化を図りつつ、画面画像の視認性を向上させるという効果を奏する。
【００２０】
また、本発明によれば、カラー表示時に強調して表示される画面構成要素を、モノクロの画面画像においても他の前記画面構成要素と比較して強調して表示されるため、画面画像の視認性を向上させるという効果を奏する。
【００２１】
また、本発明によれば、機能に対応して定められた明度でモノクロの画面画像を表示するため、画面画像の視認性を向上させるという効果を奏する。
【００２２】
また、本発明によれば、画面画像において利用者の入力による接触部分または非接触部分に対応して定められた明度でモノクロの画面画像を表示するため、表示制御プログラム開発の効率化を図りつつ、画面画像の視認性を向上させるという効果を奏する。
【００２３】
また、本発明によれば、領域に対応して定められた明度でモノクロの画面画像を表示するため、画面画像の視認性を向上させるという効果を奏する。
【００２４】
また、本発明によれば、複数のカラーテーブルのうち、いずれかのカラーテーブルに定められた色彩でカラーの画面画像を表示するため、表示制御プログラム開発の効率化を図りつつ、画面画像の視認性を向上させるという効果を奏する。
【００２５】
また、本発明によれば、カラーテーブルは、可変色領域に割り当てる色彩を色系統に応じてそれぞれ変更でき、いずれかの色系統に応じたカラーテーブルに定められた色彩でカラーの画面画像を表示するため、表示制御プログラム開発の効率化を図りつつ、画面画像の視認性を向上させるという効果を奏する。
【００２６】
また、本発明によれば、選択画面からいずれの色系統の画面画像を表示するかの選択入力を受け付け、その選択入力された色系統に応じたカラーテーブルに定められた色彩でカラーの画面画像を表示するため、表示制御プログラム開発の効率化を図りつつ、状況や環境に合わせた画面画像を選択でき、画面画像の視認性を向上させるという効果を奏する。
【発明を実施するための最良の形態】
【００２７】
以下に添付図面を参照して、本発明にかかる画像形成装置、表示処理方法、および表示処理プログラムの最良な実施の形態を詳細に説明する。なお、本実施の形態では、この発明を画像形成装置の一種である複合機に適用した場合について説明するが、本発明はこれに限らず、表示処理をおこなう各種画像形成装置に適用することができる。
【００２８】
（第１の実施の形態）
第１の実施の形態にかかる複合機では、設定画面（画面画像）をモノクロで表示する場合に、カラー表示時における画面構成要素に割り当てられた明度とは別個に割り当てた明度で、モノクロの設定画面を表示するものである。
【００２９】
図１は、第１の実施の形態にかかる複合機の機能ブロック図である。同図に示すように複合機１は、構成としてオペレーティングシステム１５３と、サービス層１５２と、入力表示制御部１５１と、実行処理部１０５と、記憶部１０４と、操作パネル２００とを備えている。
【００３０】
同図に示すように、複合機１の機能は階層関係となっており、オペレーティングシステム１５３の上層にサービス層１５２が構築され、サービス層１５２の上層に後述する本実施の形態の特徴部分が含まれた入力表示制御部１５１、および実行処理部１０５が構築されている。
【００３１】
オペレーティングシステム１５３は、ハードウェアリソースを含めた複合機１の資源を管理し、サービス層１５２、入力表示制御部１５１や実行処理部１０５に対して当該資源を利用した機能を提供する。
【００３２】
サービス層１５２は、複合機１が備えているハードウェアリソースを制御するドライバーに相当する。後述する実行処理部１０５からの出力処理の要求に応じて、スキャナ制御部１２１、プロッタ制御部１２２、蓄積制御部１２３、配信／メール送受信制御部１２４、ＦＡＸ送受信制御部１２５、通信制御部１２６等から複合機１が備えているハードウェアリソースを制御して、様々な機能が実行される。
【００３３】
操作パネル２００は、印刷設定をするための設定画面の表示や、その設定画面上での入力の受付けを行うユーザインターフェースである。なお、複合機１の機種に対応して、モノクロ用またはカラー用の画面のいずれを表示するかが予め決定されている。
【００３４】
図２は、複合機の操作パネルの一例を示す図である。同図に示すように、かかる操作パネル２００は、初期設定キー２０１、コピーキー２０２、コピーサーバーキー２０３、プリンタキー２０４、送信キー２０５、テンキー２０６、クリア／ストップキー２０７、スタートキー２０８、予熱キー２０９、リセットキー２１０およびＬＣＤ２２０を有する。そして、ＬＣＤ２２０に設定画面が表示されることになるが、この画面については後述する。
【００３５】
なお、複合機１は、記憶部１０４、操作パネル２００以外にもスキャナ、プロッタなどの様々なハードウェアリソースを備えているが、説明は省略する。
【００３６】
記憶部１０４は、画面構成要素と、モノクロテーブルと、カラーテーブルと、ＬＣＤ決定情報と、を主に記憶するものである。また、記憶部１０４は、画面構成要素等のデータを記憶可能な記憶手段であり、例えばＨＤＤ（Hard Disk Drive）やメモリ等の記憶媒体で構成することができる。
【００３７】
画面構成要素は、操作パネル２００に表示される設定画面の構成要素である。具体的には、設定画面の設定ボタンや選択ボタン、背景、さらには設定ボタンへの接触後の設定ボタンなどの構成要素をいう。そして、各画面構成要素には、画面構成要素の識別情報である画面構成要素ＩＤが定められている。
【００３８】
モノクロテーブルは、画面構成要素と、操作パネル２００に表示される設定画面をカラー表示時における画面構成要素に割り当てられた明度とは別個に、モノクロで表示時における設定画面の表示性、例えば、設定画面の機能に対応して、画面構成要素ごとに割り当てた明度と、無彩色を構成するＲ（ＲＥＤ）、Ｇ（ＧＲＥＥＮ）、Ｂ（ＢＬＵＥ）の値とそのＲ、Ｂ、Ｇの値が設定されたパレットの識別情報であるパレットＩＤとを含めたカラーパレットと、を対応付けて定めたものである。そして、このパレットＩＤは、上述した画面構成要素ＩＤと対応付けられている。
【００３９】
このモノクロテーブルでは、設定画面のカラー表示時において強調して表示される画面構成要素に割り当てる明度を、モノクロ表示時に表示される設定画面における他の前記画面構成要素と比較して強調される明度に定める。例えば、カラー表示時に黄色で表示されることで強調されていた設定ボタン（画面構成要素）に割り当てた明度で、設定画面をモノクロに表示すると、黄色は薄い灰色となり、周囲の画面構成要素である背景等をモノクロで表示しても同様に薄い灰色であった場合などには、強調されていた設定ボタンは強調されなくなる。そこで、設定ボタンの明度を、カラー表示時に強調されていた設定ボタンである黄色の明度ではなく、薄い灰色の背景に対して強調される黒色の明度に定める。
【００４０】
また、設定画面の機能とは、例えば、設定画面上の設定ボタン等の接触部分、または背景等の非接触部分を示しており、モノクロテーブルでは、接触部分、または非接触部分の画面構成要素に対応して明度を定めている。なお、設定画面の機能に対応して明度を定める場合の他の例として、複合機１の基本機能または応用機能に対応して明度を定めたり、使用頻度の多い機能または使用頻度の少ない機能に対応した明度を定めるよう構成してもよい。
【００４１】
図３は、モノクロテーブルの一例を示す図である。同図に示すように、「白黒モニタ用反転文字色_白→黒」「標準ボタン（ＢKey）・キートップ専用色」等の画面構成要素を示す使用用途と、画面構成要素ごとに割り当てた明度と、無彩色を構成するＲ、Ｇ、Ｂの値と、パレットＩＤとを含めたカラーパレットとを対応付けて定めている。
【００４２】
カラーテーブルは、画面構成要素と、操作パネル２００に表示される設定画面をカラー表示時における設定画面の表示性、例えば、設定画面の機能等に応じて、画面構成要素ごとに割り当てた色彩と、色彩を構成するＲ、Ｇ、Ｂの値とパレットＩＤとを含めたカラーパレットとを対応付けて定めたものである。
【００４３】
ＬＣＤ決定情報は、複合機１の操作パネル２００が、工場出荷時にモノクロ表示用の操作パネルであるか、カラー表示用の操作パネルであるかを示す情報である。
【００４４】
図１に戻り、入力表示制御部１５１は、表示処理部１０１と、選択受付部１０３とを主に備えている。
【００４５】
表示処理部１０１は、記憶部１０４に記憶されているＬＣＤ決定情報を参照して、複合機１の操作パネル２００がモノクロ表示用かカラー表示用かを判断する。そして、表示処理部１０１は、操作パネル２００がモノクロ表示用であった場合は、記憶部１０４に記憶されている画面構成要素から、モノクロの画面を生成し、生成したモノクロの画面を、操作パネル２００のＬＣＤ２２０に表示するものである。一方、操作パネル２００がカラー表示用であった場合は、同様に、記憶部１０４に記憶されている画面構成要素から、カラーの画面を生成し、生成したカラーの画面を表示するものである。
【００４６】
モノクロの設定画面を表示する場合には、表示処理部１０１は、記憶部１０４に記憶されているモノクロテーブルを参照して、モノクロテーブルの機能、すなわち、接触部分または非接触部分に対応して定められた画面構成要素に対応する明度を画面構成要素に割り当ててモノクロの設定画面を生成し、生成したモノクロの設定画面を表示する。その際、表示処理部１０１は、記憶部１０４に記憶されている画面構成要素から、カラー表示時に強調して表示される画面構成要素を、他の画面構成要素と比較して強調して表示されるモノクロの設定画面を生成し、生成したモノクロの設定画面を表示することができる。以下に図面を用いて具体例を説明する。
【００４７】
まず、モノクロテーブルを参照せず、カラー表示時の設定画面における画面構成要素に割り当てられた明度で表示した場合のモノクロの設定画面を説明する。図４は、カラー表示時の画面構成要素に割り当てられた明度で表示したモノクロの設定画面の一例を示す図である。ここで、図４を参照して、図４に示した設定画面をカラーで表示した場合を始めに説明する。設定ボタン４０１、４０２、４０３、４０４、４０５が利用者により押下されて設定され強調されている場合は、設定ボタン４０１、４０２、４０３、４０４、４０５が黄色で表示され、その他の背景等が青系統で表示され、設定ボタン４０１、４０２、４０３、４０４、４０５が強調して表示される。
【００４８】
しかし、図４に示すように、カラーで表示時の設定画面における画面構成要素に割り当てられた明度で、モノクロの設定画面を表示すると、設定ボタン４０１、４０２、４０３、４０４、４０５は黄色で表示されていたため、その明度でモノクロに表示すると図４のように薄い灰色で表示される。そして、その他の背景等の画面構成要素は灰色に表示され、明度差が少なくなるので、強調したい設定ボタン４０１、４０２、４０３、４０４、４０５が強調されずに設定画面が表示されることになる。
【００４９】
次に、モノクロテーブルを参照して表示した場合のモノクロの設定画面を説明する。図５は、カラー表示時の画面構成要素に割り当てられた明度とは別個の明度で表示したモノクロの設定画面の一例を示す図である。同図に示すように、カラーで表示時の設定画面における画面構成要素に割り当てられた明度と別個に定めた明度で、モノクロの設定画面を表示すると、設定ボタン５０１、５０２、５０３、５０４、５０５は黒色で表示される。そして、その他の背景等の画面構成要素は薄い灰色に表示され、明度差が大きくなるので、設定ボタン５０１、５０２、５０３、５０４、５０５が強調されて設定画面が表示される。
【００５０】
選択受付部１０３は、表示処理部１０１により表示された設定画面からの設定を受付けるものである。具体的には、表示処理部１０１によりＬＣＤ２２０に表示された設定画面の設定ボタン等を利用者が押下した場合、選択受付部１０３は、その設定ボタンに対応する設定を受付ける。
【００５１】
実行処理部１０５は、入力処理部１１１および出力処理部１１２を備え、複合機１が有する機能を用いた入出力処理を実行する。そして、実行処理部１０５で処理した内容に基づいて、サービス層１５２に備えられた各制御部が、ハードウェアリソースを制御することで、ハードウェアを用いた処理が行われる。
【００５２】
入力処理部１１１は、選択受付部１０３により選択を受け付けた設定に対応する入力機能を用いた画像データを入力処理する。例えば、選択受付部１０３が、コピーの設定を受け付けた場合、入力処理部１１１がスキャナ制御部１２１より図示しないスキャナを制御することで、紙原稿の読み込み処理を行う。
【００５３】
出力処理部１１２は、選択受付部１０３により選択を受け付けた設定に対応する出力機能を用いた画像データを出力処理する。例えば、選択受付部１０３が、コピーの設定を受け付けた場合、出力処理部１１２がプロッタ制御部１２２により図示しないプロッタを制御することで、紙原稿として印刷処理を制御する。
【００５４】
次に、このように構成された第１の実施の形態にかかる複合機１による表示処理について説明する。図６は、第１の実施の形態における表示処理の全体の流れを示すフローチャートである。
【００５５】
まず、表示処理部１０１は、記憶部１０４に記憶されているＬＣＤ決定情報を参照して、複合機１の操作パネル２００がモノクロ表示用かカラー表示用かを判断する（ステップＳ６０１）。そして、カラー表示用の操作パネル２００であると判断した場合（ステップＳ６０１：カラー表示用）、表示処理部１０１は、記憶部１０４に記憶されている画面構成要素から、カラーテーブルの画面構成要素に対応する色彩で設定画面を生成する（ステップＳ６０３）。
【００５６】
一方、モノクロ表示用の操作パネル２００であると判断した場合（ステップＳ６０１：モノクロ表示用）、表示処理部１０１は、記憶部１０４に記憶されている画面構成要素から、モノクロテーブルの画面構成要素に対応する明度で設定画面を生成する（ステップＳ６０２）。
【００５７】
そして、表示処理部１０１は、ステップＳ６０３、６０４において生成された設定画面を、操作パネル２００のＬＣＤ２２０に表示する（ステップＳ６０４）。
【００５８】
このように、本実施の形態にかかる複合機では、カラー表示時における画面構成要素に割り当てられた明度とは別個に定められたモノクロテーブルの明度で設定画面を表示する。このため、モノクロ用およびカラー用の設定画面の表示制御プログラムを同一のプログラムとして開発しつつ、モノクロ用の設定画面の機能に対応したモノクロテーブルを別個に設けることで、モノクロ用の設定画面の表示方法を改善し、表示制御プログラム開発の効率化を図りつつ、設定画面の視認性を向上させることができる。
【００５９】
（第１の実施の形態の変形例）
第１の実施の形態にかかる複合機では、設定画面の機能に対応して画面構成要素の明度を割り当てて定めているが、設定画面の領域に対応して画面構成要素の明度を割り当てて定めてもよい。
【００６０】
本実施の形態のモノクロテーブルは、画面画像において画面構成要素を少なくとも一つ以上含んで分割された領域に対応して、画面構成要素ごとに割り当てて明度を定めている。また、本実施の形態の表示処理部１０１は、記憶部１０４に記憶されている画面構成要素から、モノクロテーブルの領域に対応して定められた画面構成要素に対応する明度でモノクロの画面画像を生成し、生成したモノクロの画面画像を操作パネル２００のＬＣＤ２２０に表示する。
【００６１】
図７は、領域ごとに分割された設定画面の一例を示す図である。同図に示すように、設定画面を領域１００１、１００２、１００３、１００４に分割し、各領域に対応してカラーで表示時の設定画面における画面構成要素に割り当てられた明度と別個に定めた明度を定めている。例えば、領域１００１、１００３は利用者により設定が行われる領域であるため薄い明度で表示し、領域１００２、１００４は利用者により設定が行われない領域であるため濃い明度で表示することができる。
【００６２】
このように、本実施の形態にかかる複合機では、カラー表示時における画面構成要素に割り当てられた明度とは別個に定められたモノクロテーブルの明度で設定画面を表示する。このため、モノクロ用およびカラー用の設定画面の表示制御プログラムを同一のプログラムとして開発しつつ、モノクロ用の設定画面の領域に対応したモノクロテーブルを別個に設けることで、モノクロ用の設定画面の表示方法を改善し、表示制御プログラム開発の効率化を図りつつ、設定画面の視認性を向上させることができる。
【００６３】
（第２の実施の形態）
第１の実施の形態にかかる複合機は、設定画面をモノクロで表示する場合に、カラー表示時における画面構成要素に割り当てられた明度とは別個に割り当てた明度でモノクロの画面画像を表示するものである。これに対し、本実施の形態の複合機は、第１の実施の形態に加え更に、設定画面をカラーで表示する場合に、複数の色系統のうち選択されたいずれかの色系統の設定画面を表示できるものである。
【００６４】
本実施の形態にかかる複合機の構成は、第１の実施の形態と同様であるため、図１を参照して機能が異なる構成のみ説明する。
【００６５】
記憶部１０４は、カラー表示時における画面画像の表示性、例えば、設定画面の機能に対応して、画面構成要素ごとに割り当てて色彩を定めた複数のカラーテーブルを記憶している。
【００６６】
この複数のカラーテーブルは、定めた色彩の変更が可能な画面構成要素の一定領域である可変色領域を有し、その可変色領域に割り当てる色彩を色系統に応じてそれぞれ変更して定めている。具体的には、可変色領域か否かを示す固定・可変項目と、画面構成要素と、色彩を構成するＲ、Ｇ、Ｂの値とそのＲ、Ｇ、Ｂの値が設定されたパレットの識別情報であるパレットＩＤとを含めたカラーパレットとを対応付けて定めたものである。このパレットＩＤは、画面構成要素ＩＤと対応付けられている。そして、この可変色領域の色彩を変更することにより、青色系統、赤色系統、青灰色系統、緑色系統、灰色系統等のさまざまな色系統のカラーテーブルができ、それぞれのカラーテーブルに定められた色彩を利用すると、それぞれの色系統の設定画面が生成できる。また、可変色領域以外の領域である固定色領域の色彩は予め定められており変更することができない。
【００６７】
図８は、カラーテーブルの一例を示す図である。同図に示すように、「固定」「可変」等の固定・可変項目と、「白黒モニタ用反転文字色_白→黒」「標準ボタン（ＢKey）・キートップ専用色」等の画面構成要素を示す使用用途と、色彩を構成するＲ、Ｇ、Ｂの値と、パレットＩＤとを含めたカラーパレットとを対応付けて定めている。なお、このカラーテーブルを利用すると青色系統の設定画面が生成される。
【００６８】
図９は、カラーテーブルの他の一例を示す図である。同図に示すように、「固定」「可変」等の固定・可変項目と、「白黒モニタ用反転文字色_白→黒」「標準ボタン（ＢKey）・キートップ専用色」等の画面構成要素を示す使用用途と、色彩を構成するＲ、Ｇ、Ｂの値と、パレットＩＤとを含めたカラーパレットとを対応付けて定めている。なお、このカラーテーブルを利用すると赤色系統の設定画面が生成される。
【００６９】
図１０は、カラーテーブルの他の一例を示す図である。同図に示すように、「固定」「可変」等の固定・可変項目と、「白黒モニタ用反転文字色_白→黒」「標準ボタン（ＢKey）・キートップ専用色」等の画面構成要素を示す使用用途と、色彩を構成するＲ、Ｇ、Ｂの値と、パレットＩＤとを含めたカラーパレットとを対応付けて定めている。なお、このカラーテーブルを利用すると青灰色系統の設定画面が生成される。
【００７０】
表示処理部１０１は、記憶部１０４に記憶されているＬＣＤ決定情報を参照して、操作パネル２００がカラー表示用であると判断した場合は、初期設定画面でいずれの色系統の画面画像をＬＣＤ２２０に表示するかを利用者に選択させる選択画面を表示するものである。そして、表示処理部１０１は、記憶部１０４から選択された色系統に応じたカラーテーブルを取得し、記憶部１０４に記憶されている画面構成要素から、取得したカラーテーブルに定められた画面構成要素に対応する色彩で、カラーの画面画像を生成し、生成したカラーの画面画像を操作パネル２００のＬＣＤ２２０に表示する。
【００７１】
選択受付部１０３は、初期設定画面で、表示処理部１０４により表示された選択画面から、いずれの色系統の画面画像を表示するかの利用者による選択入力を受け付けるものである。
【００７２】
次に、このように構成された第２の実施の形態にかかる複合機１による表示処理について説明する。図１１は、第２の実施の形態における表示処理の全体の流れを示すフローチャートである。
【００７３】
まず、表示処理部１０１は、初期設定画面表示時に、記憶部１０４に記憶されているＬＣＤ決定情報を参照して、複合機１の操作パネル２００がモノクロ表示用かカラー表示用かを判断する（ステップＳ１１０１）。そして、カラー表示用の操作パネル２００であると判断した場合（ステップＳ１１０１：カラー表示用）、表示処理部１０１は、いずれの色系統の画面画像を表示するかを利用者に選択させる選択画面を表示する（ステップＳ１１０２）。
【００７４】
図１２は、いずれの色系統の画面画像を表示するか選択させる選択画面の一例を示す図である。同図に示すように、ブルー系（青色系統）の選択ボタン、グレー系（灰色系統）の選択ボタン、グリーン系（緑色系統）の選択ボタン、ブルー〜グレー系（青灰色系統）の選択ボタン、レッド系（赤色系統）の選択ボタンと、それぞれの色系統に簡略画面が表示されている。利用者は、操作パネル２００に表示したい色系統の選択ボタンを押下して、画面右上の設定ボタンを押下することで、いずれかの色系統の設定画面の選択入力ができる。
【００７５】
次に、選択受付部１０３は、表示処理部１０１により表示された選択画面からいずれの色系統の画面画像を表示するかの利用者による選択入力を受け付ける（ステップ１１０３）。そして、表示処理部１０１は、記憶部１０４に記憶されている選択された色系統に応じたカラーテーブルを取得し、記憶部１０４に記憶されている画面構成要素から、取得したカラーテーブルの画面構成要素に対応する色彩で設定画面を生成する（ステップＳ１１０４）。
【００７６】
一方、モノクロ表示用の操作パネル２００であると判断した場合（ステップＳ１１０１：モノクロ表示用）、表示処理部１０１は、記憶部１０４に記憶されている画面構成要素から、モノクロテーブルの画面構成要素に対応する明度で設定画面を生成する（ステップＳ１１０５）。
【００７７】
そして、表示処理部１０１は、ステップＳ１１０４、１１０５において生成された設定画面を、操作パネル２００のＬＣＤ２２０に表示する（ステップＳ１１０６）。
【００７８】
図１３は、利用者により選択された青色系統の設定画面の一例を示す図である。この画面を表示する場合は、図８のカラーテーブルに定められた色彩を利用しており、図１３に示すように、設定ボタン１３０１、１３０２、１３０３、１３０４、１３０５は黄色で表示され、その他の背景１３０６、１３０７等の画面構成要素は、青系統の色彩で表示されている。これにより、青色系統の色彩に対して設定ボタン１３０１、１３０２、１３０３、１３０４、１３０５を黄色に表示することで、背景等に対して設定ボタン１３０１、１３０２、１３０３、１３０４、１３０５が強調された設定画面となる。
【００７９】
図１４は、利用者により選択された赤色系統の設定画面の一例を示す図である。この画面を表示する場合は、図９のカラーテーブルに定められた色彩を利用しており、図１４に示すように、設定ボタン１４０１、１４０２、１４０３、１４０４、１４０５は黄色で表示され、その他の背景１４０６、１４０７等の画面構成要素は、赤系統の色彩で表示されている。これにより、赤色系統の色彩に対して設定ボタン１４０１、１４０２、１４０３、１４０４、１４０５を黄色に表示することで、背景等に対して設定ボタン１４０１、１４０２、１４０３、１４０４、１４０５が強調された設定画面となる。
【００８０】
本実施の形態にかかる複合機では、設定画面の機能に対応して画面構成要素の色彩を定めているが、第１の実施の形態の変形例と同様に、カラー表示の場合においても設定画面の領域に対応して画面構成要素の色彩を定めてもよい。この場合は、図７で示すように、設定画面を領域１００１、１００２、１００３、１００４に分割し、各領域に対応して異なる色彩を定めたり、各領域に対応して濃淡をつけた同系色の色彩を定めてもよい。
【００８１】
また、設定画面上に表示されるポップアップ画面の設定ボタンに対応して、画面構成要素の色彩を定めてもよい。図１５は、色彩を定めていないポップアップ画面の一例を示す図である。図１６は、色彩を定めて表示したポップアップ画面の一例を示す図である。図１５、１６で示すように、ログインユーザー名とログインパスワードを利用者に入力させる要求の画面が表示され、ログインユーザー名とログインパスワードを入力するフィールドと、取消ボタンと、ログインボタンが表示されている。図１５では、取消ボタン１５０１、ログインボタン１５０１は、背景と同じ色彩で表示されているため強調されていないが、図１６では、取消ボタン１６０１、ログインボタン１６０２は、背景と異なる色彩、例えば背景が白色で、取消ボタン１６０１が赤色、ログインボタン１６０２が青色で表示され、背景に対してそれぞれのボタンが強調されて表示されている。
【００８２】
また、設定画面上に表示されるポップアップ画面に対応して、画面構成要素の色彩を定めてもよい。図１７は、色彩を定めて表示したポップアップ画面の他の一例を示す図である。図１７で示すように、複合機の備えている機能を利用者が利用する権限がない旨の警告を表示した場合、確認ボタン１７０１以外のポップアップ画面の全体を赤色に表示し、色彩により警告である旨をさらに強調して表示している。
【００８３】
さらに、色覚障害者用、利用者の年齢、利用者の視力に対応して、画面構成要素の色彩を定めてもよい。例えば、白色に黒色の文字で表示した設定ボタンが認識しづらい場合は、反転させて黒色に白色の文字で表示した設定ボタンを表示することで強調する。
【００８４】
また、環境に対応して色彩を定めてよい。例えば、温度、湿度、季節、風水に対応して色彩を定めたり、外光の有無や、時間に対応して色彩を定める。これにより、温度が高い場合は、涼しさを出すために青色系統の色彩の設定画面が表示されたり、温度が低い場合は、暖かさを出すために赤色系統の設定画面が表示される。
【００８５】
また、複合機の機種に対応して色彩を定めてもよい。例えば、高価な複合機の機種には高級感を出すためにゴージャスな色彩を定め、低価格の複合機の機種にはポップな色彩を定める。また、複合機の配置場所に対応して色彩を定めてもよい。例えば、コンビニエンスストア等の店舗に配置する場合、会社等に配置する場合に、その環境に合わせた色彩に定める。
【００８６】
このように、本実施の形態にかかる複合機では、選択画面から利用者によるいずれの色系統の設定画面を表示するかの選択入力を受け付け、可変色領域を有する複数のカラーテーブルのうち、利用者により選択されたいずれかの色系統のカラーテーブルに定められた色彩で設定画面を表示する。このため、モノクロ用およびカラー用の設定画面の表示制御プログラムを同一のプログラムとして開発しつつ、カラー用の設定画面の機能、領域や環境等に対応したカラーテーブルを複数設けることで、カラー用の設定画面の表示方法を改善し、表示制御プログラム開発の効率化を図りつつ、設定画面の視認性を向上させることができる。
【００８７】
図１８は、複合機１のハードウェア構成を示すブロック図である。同図に示すように、この複合機１は、コントローラ１０とエンジン部（Engine）６０とをＰＣＩ（Peripheral Component Interconnect）バスで接続した構成となる。コントローラ１０は、複合機１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００８８】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００８９】
ＣＰＵ１１は、複合機１の全体制御をおこなうものであり、ＮＢ１３、ＭＥＭ−Ｐ１２およびＳＢ１４からなるチップセットを有し、このチップセットを介して他の機器と接続される。
【００９０】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００９１】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００９２】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００９３】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００９４】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００９５】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００９６】
なお、第１、２実施の形態の複合機で実行される表示処理プログラムは、ＲＯＭ等に予め組み込まれて提供される。
【００９７】
第１、２の実施の形態の複合機で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００９８】
さらに、第１、２の実施の形態の複合機で実行される表示処理プログラムを、インターネット等のネットワークに接続されたコンピュータ上に格納し、ネットワーク経由でダウンロードさせることにより提供するように構成しても良い。また、第１、２の実施の形態の複合機で実行される表示処理プログラムをインターネット等のネットワーク経由で提供または配布するように構成しても良い。
【００９９】
第１，２の実施の形態の複合機で実行される表示処理プログラムは、上述した各部（表示処理部１０１、選択受付部１０３、入力処理部１１１、出力処理部１１２）を含むモジュール構成となっており、実際のハードウェアとしてはＣＰＵ（プロセッサ）が上記ＲＯＭから表示処理プログラムを読み出して実行することにより上記各部が主記憶装置上にロードされ、表示処理部１０１、選択受付部１０３、入力処理部１１１、出力処理部１１２が主記憶装置上に生成されるようになっている。
【図面の簡単な説明】
【０１００】
【図１】第１の実施の形態にかかる複合機の機能ブロック図である。
【図２】複合機の操作パネルの一例を示す図である。
【図３】モノクロテーブルの一例を示す図である。
【図４】カラー表示時の画面構成要素に割り当てられた明度で表示したモノクロの設定画面の一例を示す図である。
【図５】カラー表示時の画面構成要素に割り当てられた明度とは別個の明度で表示したモノクロの設定画面の一例を示す図である。
【図６】第１の実施の形態における表示処理の全体の流れを示すフローチャートである。
【図７】領域ごとに分割された設定画面の一例を示す図である。
【図８】カラーテーブルの一例を示す図である。
【図９】カラーテーブルの他の一例を示す図である。
【図１０】カラーテーブルの他の一例を示す図である。
【図１１】第２の実施の形態における表示処理の全体の流れを示すフローチャートである。
【図１２】いずれの色系統の画面画像を表示するか選択させる選択画面の一例を示す図である。
【図１３】利用者により選択された青色系統の設定画面の一例を示す図である。
【図１４】利用者により選択された赤色系統の設定画面の一例を示す図である。
【図１５】色彩を定めていないポップアップ画面の一例を示す図である。
【図１６】色彩を定めて表示したポップアップ画面の一例を示す図である。
【図１７】色彩を定めて表示したポップアップ画面の他の一例を示す図である。
【図１８】複合機１のハードウェア構成を示すブロック図である。
【符号の説明】
【０１０１】
１０  コントローラ
１１  ＣＰＵ
１２  システムメモリ（ＭＥＭ−Ｐ）
１２ａ  ＲＯＭ
１２ｂ  ＲＡＭ
１３  ノースブリッジ（ＮＢ）
１４  サウスブリッジ（ＳＢ）
１５  ＡＧＰバス
１６  ＡＳＩＣ
１７  ローカルメモリ（ＭＥＭ−Ｃ）
１８  ハードディスクドライブ（ＨＤＤ）
３０  ＦＣＵ
４０  ＵＳＢ
５０  ＩＥＥＥ１３９４インターフェース
６０  エンジン部
１０１  表示処理部
１０３  選択受付部
１０４  記憶部
１０５  実行処理部
１１１  入力処理部
１１２  出力処理部
１２１  スキャナ制御部
１２２  プロッタ制御部
１２３  蓄積制御部
１２４  メール送受信制御部
１２５  ＦＡＸ送受信制御部
１２６  通信制御部
１５１  入力表示制御部
１５２  サービス層
１５３  オペレーティングシステム
２００  操作パネル
２０１  初期設定キー
２０２  コピーキー
２０３  コピーサーバーキー
２０４  プリンタキー
２０５  送信キー
２０６  テンキー
２０７  ストップキー
２０８  スタートキー
２０９  予熱キー
２１０  リセットキー
２２０  ＬＣＤ
４０１、４０２、４０３、４０４、４０５  設定ボタン
５０１、５０２、５０３、５０５、５０６  設定ボタン
６０１、６０２  項目
１００１、１００２、１００３、１００４  領域
１３０１、１３０２、１３０３、１３０４、１３０５  設定ボタン
１３０６、１３０７  背景
１４０１、１４０２、１４０３、１４０４、１４０５  設定ボタン
１４０６、１４０７  背景
【図１】
2007256387.tif 000003
【図２】
2007256387.tif 000004
【図３】
2007256387.tif 000005
【図４】
2007256387.tif 000006
【図５】
2007256387.tif 000007
【図６】
2007256387.tif 000008
【図７】
2007256387.tif 000009
【図８】
2007256387.tif 000010
【図９】
2007256387.tif 000011
【図１０】
2007256387.tif 000012
【図１１】
2007256387.tif 000013
【図１２】
2007256387.tif 000014
【図１３】
2007256387.tif 000015
【図１４】
2007256387.tif 000016
【図１５】
2007256387.tif 000017
【図１６】
2007256387.tif 000018
【図１７】
2007256387.tif 000019
【図１８】
2007256387.tif 000020